(57)【特許請求の範囲】
【請求項１】
ボビン（１０）と、
このボビンを通し同軸的にかつ回動可能に支持された指針軸（３０）と、
前記ボビンの外壁に巻装された両交差コイル（６０、７０）と、
これら両交差コイルの各接続端子（６１、７１）にそれぞれ一端部（８１）にて接続した外部回路接続用ターミナル（８０、１００）とを備える交差コイル型指示計器において、
前記ボビンが、前記各ターミナルをそれぞれ前記指針軸の軸方向に沿うように挿通してなる各ターミナル収納箱（１２）を有しており、
これら各ターミナル収納箱のうち前記各ターミナルの一端部側端面には、凹所（１２ａ）がそれぞれ形成されており、
前記各ターミナルが前記一端部にて折り曲げられて前記両交差コイルの各接続端子と共に前記各凹所内にそれぞれ収納されていることを特徴とする交差コイル型指示計器。
【請求項２】
ボビンであってその軸方向に沿いその外周壁の各両対向部にそれぞれ設けられた脚を有するボビン（１０）と、
このボビンに同軸的にかつ回動可能に支持された指針軸（３０）と、
前記ボビンの外壁に前記各脚間を介し交差して巻装された両交差コイル（６０、７０）と、
各外部回路接続用ターミナルであってその一端部にて前記両交差コイルの各接続端子（８１）にそれぞれ接続された各ターミナル（８０、１００）とを備える交差コイル型指示計器であって、
前記ボビンの外周壁には、前記各脚間にて前記軸方向に沿いそれぞれターミナル収納箱（１２）が形成されており、
これら各ターミナル収納箱のうち前記各ターミナルの一端部側端面には、凹所（１２ａ）がそれぞれ形成されており、
前記両交差コイルの各巻装が、前記ターミナル収納箱のうち互いに対向する各両ターミナル収納箱の両側にそれぞれ分けてなされており、
前記各ターミナルが前記一端部にて折り曲げられて前記両交差コイルの各接続端子と共に前記各凹所内にそれぞれ収納されている交差コイル型指示計器。
【請求項３】
前記各ターミナルが前記一端部にて折り重ねにより折り曲げられて前記両交差コイルの各接続端子と共に前記各凹所内にそれぞれ収納されていることを特徴とする請求項１又は２に記載の交差コイル型指示計器。
【請求項４】
ボビン（１０）と、
このボビンを通し同軸的にかつ回動可能に支持された指針軸（３０）と、
前記ボビンの外壁に巻装された両交差コイル（６０、７０）と、
これら両交差コイルの各接続端子（６１、７１）にそれぞれ一端部（８１）にて接続した外部回路接続用ターミナル（１００）とを備える交差コイル型指示計器において、
前記ボビンが、前記各ターミナルをそれぞれ前記指針軸の軸方向に沿うように挿通してなる各ターミナル収納箱（１２）を有しており、
前記各ターミナルが前記一端部にて折り重ねにより折り曲げられて前記両交差コイルの各接続端子と共に前記各ターミナル収納箱の前記各ターミナルの一端部側端面上にそれぞれ位置していることを特徴とする交差コイル型指示計器。
【請求項５】
ボビンであってその軸方向に沿いその外周壁の各両対向部にそれぞれ設けられた脚を有するボビン（１０）と、
このボビンに同軸的にかつ回動可能に支持された指針軸（３０）と、
前記ボビンの外壁に前記各脚間を介し交差して巻装された両交差コイル（６０、７０）と、
各外部回路接続用ターミナルであってその一端部にて前記両交差コイルの各接続端子（８１）にそれぞれ接続された各ターミナル（１００）とを備える交差コイル型指示計器であって、
前記ボビンの外周壁には、前記各脚間にて前記軸方向に沿いそれぞれターミナル収納箱（１２）が形成されており、
前記両交差コイルの各巻装が、前記ターミナル収納箱のうち互いに対向する各両ターミナル収納箱の両側にそれぞれ分けてなされており、
前記各ターミナルが前記一端部にて折り重ねにより折り曲げられて前記両交差コイルの各接続端子と共に前記各ターミナル収納箱の前記各ターミナルの一端部側端面上にそれぞれ位置していることを特徴とする交差コイル型指示計器。
【発明の詳細な説明】
【０００１】
【発明の属する技術分野】
本発明は、交差コイル型指示計器に関する。
【０００２】
【従来の技術】
従来、この種の交差コイル型指示計器においては、実開平５−４０８８４号公報にて開示されたものがある。
この交差コイル型指示計器においては、交差コイル巻装幅を規制するための４つの脚がボビンの外周部に間隔をおいて形成されている。
【０００３】
また、ボビンの外壁に十字状に巻装した両交差コイルを外部回路に接続するための各ターミナルを各脚にその長手方向に沿いそれぞれ圧入した後、両交差コイルの各端子を各ターミナルの上端部に巻き付けた後はんだ付けする。その後、各ターミナルの上端部を、各脚の上端部内に形成した凹所内にて隣接脚に向けてＬ字状にそれぞれ折り曲げる。
【０００４】
このようにして、指示計器の軸方向の厚みを薄くするようにしている。
【０００５】
【発明が解決しようとする課題】
しかし、上記構成の交差コイル型指示計器では、各ターミナルの上端部が各交差コイルの上面に沿い延出することとなる。このため、これら各ターミナルの上端部を各交差コイルの上面よりも下方に位置させることができない。
これでは、指示計器の偏平化には未だ不十分であり、もっと偏平化したいという要請には応えられない。
【０００６】
そこで、本発明は、以上述べたことに対処するため、両交差コイルを外部回路に接続するためのターミナルの両交差コイルの各端子に接続する構造に工夫を凝らし、より一層偏平化するようにした交差コイル型指示計器を提供することを目的とする。
【０００７】
【課題を解決するための手段】
上記課題の解決にあたり、請求項１及び３に記載の発明によれば、交差コイル型指示計器のボビンが、各ターミナルをそれぞれ指針軸の軸方向に沿うように挿通してなる各ターミナル収納箱を有している。また、これら各ターミナル収納箱のうち各ターミナルの一端部側端面には、凹所がそれぞれ形成されている。
【０００８】
そして、各ターミナルがその一端部にて折り曲げられて両交差コイルの各接続端子と共に各凹所内にそれぞれ収納されている。
従って、各凹所の深さを適正に設定しておくことで、各凹所内のターミナルの上端部を、両交差コイルの各接続端子と共に、両交差コイルの最上面よりも下方に位置させることができる。
【０００９】
これにより、交差コイル型指示計器の高さを、各ターミナルの上端部を両交差コイルの最上面よりも下方に位置させた分だけ、低くしつつ、少なくとも、ターミナルの上端部の板厚及び交差コイルの捲線径の倍の和だけ、交差コイル型指示計器の高さ方向の長さをより一層偏平化することができる。
また、請求項２及び３に記載の発明によれば、交差コイル型指示計器のボビンの外周壁には、ボビンの各脚間にてその軸方向に沿いそれぞれターミナル収納箱が形成されている。また、これら各ターミナル収納箱のうち各ターミナルの一端部側端面には、凹所がそれぞれ形成されている。また、両交差コイルの各巻装が、ターミナル収納箱のうち互いに対向する各両ターミナル収納箱の両側にそれぞれ分けてなされている。
【００１０】
そして、各ターミナルがその一端部にて折り曲げられて両交差コイルの各接続端子と共に各凹所内にそれぞれ収納されている。
これによっても、請求項１に記載の発明と同様に作用効果を達成できる。
ここで、請求項３に記載の発明によれば、各ターミナルがその一端部にて折り重ねにより折り曲げられて両交差コイルの各接続端子と共に各凹所内にそれぞれ収納されている。
【００１１】
これにより、各ターミナルの一端部の対応凹所内への収納による上記第１実施形態にて述べた作用効果を達成しつつ、各ターミナルを両交差コイルの各接続端子側にて長くした上で両交差コイルの各接続端子を各対応ターミナルの一端部に巻き付けた後、各接続端子と各対応ターミナルの一端部との同時浸漬はんだ付けを良好に確保し得る。
【００１２】
また、請求項４に記載の発明によれば、上記請求項１に記載の発明とは異なり、各ターミナル収納箱の凹所を廃止し、かつ、各ターミナルがその一端部にて折り重ねにより折り曲げられて両交差コイルの各接続端子と共に各ターミナル収納箱の各ターミナルの一端部側端面上にそれぞれ位置している。
これにより、各ターミナル収納箱の凹所はないものの、請求項３に記載の発明と実質的に同様の作用効果を達成できる。
【００１３】
また、請求項５に記載の発明によれば、上記請求項２に記載の発明とは異なり、各ターミナル収納箱の凹所を廃止し、かつ、各ターミナルがその一端部にて折り重ねにより折り曲げられて両交差コイルの各接続端子と共に各ターミナル収納箱の各ターミナルの一端部側端面上にそれぞれ位置している。
これにより、請求項４に記載の発明と同様の作用効果を達成できる。
【００１４】
【発明の実施の形態】
以下、本発明の第１実施形態を図面に基づいて説明する。
図１及び図２は車両用交差コイル型指示計器に本発明が適用された例を示している。
この交差コイル型指示計器は、車両のインストルメントパネル内にて、指針軸を図１のごとく傾斜して配設されている。
【００１５】
交差コイル型指示計器は、ハウジングとしてのボビン１０を備えており、このボビン１０は、樹脂にて成形された上側ボビン部材１０ａと下側ボビン部材１０ｂとによって構成されている。
ボビン１０は、下側ボビン１０ｂにて、図１及び図２にて示すごとく、断面Ｕ字状のケーシング２０に保持されており、このボビン１０は、このケーシング２０と共に回路基板（図示しない）に固定されている。
【００１６】
ボビン１０内には、指針軸３０が、同軸的にかつ回転可能に支持されており、この指針軸３０は、その先端にて、目盛り板４０を通り延出し、指針５０を支持している。
ボビン１０は、４つの脚１１を一体に備えており、これら各脚１１は、ボビン１０の外周部にて等角度間隔に位置している。また、各脚１１の軸方向は、ボビン１０の軸方向に平行となっている。
【００１７】
また、ボビン１０は、４つのターミナル収納箱１２を一体に備えており、これら各ターミナル収納箱１２は、ボビン１０の外周部にて等角度間隔に位置している。また、各ターミナル収納箱１２は、４つの脚１１のうち各両隣接脚１１間中央にそれぞれ位置しており、これら各ターミナル収納箱１２の高さ方向は、指針軸３０の軸方向に平行となっている。なお、各ターミナル収納箱１２は、ボビン１０の外周部から指針軸３０に向けてそれぞれ位置している。
【００１８】
交差コイル６０は、互いに対向する両ターミナル収納箱１２により、両コイル部６０ａ、６０ｂに分割されてボビン１０の外壁に巻装されており、一方、交差コイ７０は、交差コイル６０の外側にて、互いに対向する他の両ターミナル収納箱１２により両コイル部７０ａ、７０ｂに分割されてボビン１０の外壁に巻装されている。
【００１９】
また、両交差コイル６０、７０の各接続端子６１、７１は、各ターミナル８０の上端部８１に巻き付けられている。
外部回路接続用の各ターミナル８０は、各対応ターミナル収納箱１２内にその高さ方向にそれぞれ圧入されており、これら各ターミナル８０の上下各端部８１、８２は、各ターミナル収納箱１２の上下両端部から外方へ突出している。また、各ターミナル８０は、折り曲げ易いように、導電性金属片により形成されており、各ターミナル８０の各対応凹所１２ａ内における位置は、各ターミナル８０の上端部を各ターミナル収納箱１２内に収納できるように、ボビン１０の外周部側に選定されている。
【００２０】
また、各ターミナル８０の上端部８１は、各対応ターミナル収納箱１２の上端部に形成した凹所１２ａ内にそれぞれＬ字状に折り曲げられて両交差コイル６０、７０の各対応接続端子と共に収納されている。
なお、マグネットロータ９０は、ボビン１０の中空部内にて、指針軸３０の中間部位に同軸的に支持されている。
【００２１】
このように構成した本第１実施形態において、各ターミナル８０の上端部８１の各ターミナル収納箱１２内への収納は次のようにして行う。
即ち、図２において両交差コイル６０、７０の各接続端子６１、７１を各ターミナル８０の上端部８１に巻装する前の構成を有する交差コイル型指示計器を準備する。
【００２２】
そして、両交差コイル６０、７０の各接続端子６１、７１を各対応のターミナル８０の上端部８１にそれぞれ図２にて示すごとく巻装してはんだ付け等により電気的に接続する。
その後、各ターミナル８０の上端部８１を、図２にて示す各矢印方向にそれぞれＬ字状に折り曲げて、両交差コイル６０、７０の各接続端子６１、７１と共に、各対応ターミナル収納箱１２の凹所１２ａ内に収納する。
【００２３】
ここで、各凹所１２ａの深さを適正に設定しておくことで、各凹所１２ａ内の各上端部８１を、各接続端子６１、７１と共に、交差コイル７０の図２にて図示上面よりも下方に位置させることができる。
これにより、交差コイル型指示計器の高さ（ターミナル８０の長さ方向に対応）を、各ターミナル８０の上端部８１を交差コイル７０の上面よりも下方に位置させた分だけ、低くしつつ、少なくとも、ターミナル８０の上端部８１の板厚及び交差コイル６０（又は、７０）の捲線径の倍の和だけ、交差コイル型指示計器の高さ方向の長さをより一層偏平化することができる。
【００２４】
図３及び図４は本発明の第２実施形態を示している。
この第２実施形態では、各ターミナル１００が、上記第１実施形態にて述べた各ターミナル８０に代えて、図３にて示すごとく、各対応ターミナル収納箱１２内にその高さ方向にそれぞれ圧入されており、これら各ターミナル１００は、各ターミナル収納箱１２の上下両端部から外方へ突出している。
【００２５】
各ターミナル１００は、上記第１実施形態にて述べた各ターミナル８０の形成材料と同一の材料により、共に同一の形状に形成されている。
ここで、ターミナル１００の上端部１０１（ターミナル収納箱１２から図３にて図示上方へ突出する端部）には、コイル巻き付け部１０２が、図３及び図４にて示すごとく、ターミナル１００の幅方向両側部を切り欠くことにより形成されている。そして、各ターミナル１００のコイル巻き付け部１０２には、両交差コイル６０、７０の各接続端子６１、７１が、図３にて示すごとく、それぞれ巻装されて、はんだ付け等により電気的に接続されている。
【００２６】
また、ターミナル１００の長手方向略中央には、折り曲げ部１０３が、図３及び図４にて示すごとく、ターミナル１００の幅方向両側部を切り欠くことにより形成されており、各折り曲げ部１０３は、図４にて示すごとく、対応凹所１２ａ内に位置している。
また、ターミナル１００には、折り曲げ部１０４が、コイル巻き付け部１０２と折り曲げ部１０３との間にて、図３及び図４にて示すごとく、ターミナル１００の幅方向両側部を切り欠くことにより形成されている。その他の構成は上記第１実施形態と同様である。
【００２７】
このように構成した本第２実施形態において、各ターミナル１００の上端部１０１の各ターミナル収納箱１２内への収納は次のようにして行う。
まず、図３において両交差コイル６０、７０の各接続端子６１、７１を各ターミナル１００の上端部に巻装する前の構成を有する交差コイル型指示計器を準備する。
【００２８】
そして、両交差コイル６０、７０の各接続端子６１、７１を各対応のターミナル１００のコイル巻き付け部１０２にそれぞれ図３及び図４（ｂ）にて示すごとく巻き付ける。このとき、各ターミナル１００の上端部１０１は、そのコイル巻き付け部１０２にて、対応ターミナル収納箱１２の凹所１２ａの開口面に対し適正な距離をおくように、この開口面から十分な長さにて突出している（図４（ａ）（ｂ）参照）。これは、各コイル巻き付け部１０２に対する両交差コイル６０、７０の対応接続端子の浸漬はんだ付けが同時に良好に行えるようにするためである。
【００２９】
上述のように、両交差コイル６０、７０の各接続端子６１、７１を各対応のターミナル１００のコイル巻き付け部１０２に巻き付けた後、各ターミナル１００の上端部１０１を、共に、はんだ槽（図示しない）内の溶融はんだにその表面から浸漬する。この場合、上述のごとく、各ターミナル１００の上端部１０１は、対応ターミナル収納箱１２の凹所１２ａの開口面から十分な長さにて突出しているので、各コイル巻き付け部１０２に対する両交差コイル６０、７０の対応接続端子の浸漬はんだ付けが同時に良好に行える。
【００３０】
その後、各ターミナル１００を、その折り曲げ部１０３にて、図４（ｃ）にて例示するごとく、それぞれ、凹所１２ａの底壁に向けＬ字状に折り曲げる。ついで、各ターミナル１００を、その折り曲げ部１０４にて、図４（ｃ）にて例示するごとく、それぞれ、上方からＵ字状に折り曲げる。なお、この折り重ねは、各ターミナル１００を、その折り曲げ部１０４にて、Ｕ字状に折り曲げた後に、各ターミナル１００をその折り曲げ部１０３にてＬ字状に折り曲げるようにしてもよい。
【００３１】
これにより、各ターミナル１００は、その上端部１０１から折り曲げ部１０３にかけて、両交差コイル６０、７０の各接続端子６１、７１と共に、各対応ターミナル収納箱１２の凹所１２ａ内にＵ字状の折り重ねにより折り曲げられて収納される。この場合、各ターミナル１００の上端部１０１から折り曲げ部１０３にかけての部分が長くても、各凹所１２ａ内に容易に納まる。
【００３２】
その結果、両交差コイル６０、７０の各接続端子６１、７１を各対応のターミナル１００のコイル巻き付け部１０２に巻き付けた後の上記同時浸漬はんだ付けを良好に確保しつつ、上記第１実施形態にて述べた作用効果と同様の作用効果を達成できる。
なお、本発明の実施にあたり、上記第２実施形態にて述べた各ターミナル１００の折り曲げ部１０３、１０４は、図５（ａ）にて示すごとく、ターミナル１００の幅方向一側部のみを切り欠いて形成した折り曲げ部１０３ａ、１０４ａであってもよい。
【００３３】
また、本発明の実施にあたり、上記第２実施形態にて述べた各ターミナル１００の折り曲げ部１０３、１０４は、図５（ｂ）にて示すごとく、ターミナル１００を板厚方向に開口して形成した折り曲げ部１０３ｂ、１０４ｂであってもよい。
また、本発明の実施にあたり、上記第２実施形態にて述べた各ターミナル１００の折り曲げが容易であれば、折り曲げ部１０３、１０４は廃止してもよい。
【００３４】
また、本発明の実施にあたり、上記第２実施形態とは異なり、図６（ａ）にて示すごとく、各ターミナル１００の上端部１０１を、その折り曲げ部１０４にて、凹所１２ａの底壁側へＵ字状に折り曲げた後に、折り曲げ部１０３にて、凹所１２ａの底壁上に折り曲げるようにしてもよい。
また、本発明の実施にあたり、上記第２実施形態とは異なり、図６（ｂ）にて示すごとく、ターミナル１００における折り曲げ部１０４の形成位置を、折り曲げ部１０３の位置に近づけるように変更し、かつ、ターミナル１００を、その折り曲げ部１０３にて、指針軸３０から遠ざかる方向へＬ字状に折り曲げた後、その折り曲げ部１０４にて、指針軸３０に近づく方向へＵ字状に折り曲げてもよい。なお、各ターミナル１００の対応ターミナル収納箱１２に対する圧入位置を、指針軸３０側に近づけるように変更する。
【００３５】
また、本発明の実施にあたり、上記第２実施形態にて述べたターミナル収納箱１２は、凹所１２ａを廃止して実施してもよい。この場合、ターミナル１００は、両折り曲げ部１０３、１０４にて、ターミナル収納箱１２の上端面上に上記だ第２実施形態と同様に折り曲げるようにしてもよい。
これによっても、上記第２実施形態と同様の作用効果を達成できる。
【００３６】
また、本発明の実施にあたり、交差コイル型指示計器は、車両に限ることなく、各種の産業機器用交差コイル型指示計器であってもよい。
【図面の簡単な説明】
【図１】本発明に係る交差コイル型指示計器の第１実施形態を示す概略断面図である。
【図２】図１の指針計器において目盛り板及び指針を除去した構成を示す斜視図である。
【図３】本発明の第２実施形態を示す斜視図である。
【図４】（ａ）は、ターミナル収納箱との関係で示す図３のターミナルの斜視図、（ｂ）は、ターミナル収納箱との関係で示す交差コイルの接続端子を巻き付けた図３のターミナルの斜視図及び（ｃ）は、図４（ｂ）のターミナルの折り曲げ状態を示す斜視図である。
【図５】（ａ）は、上記第２実施形態のターミナルの変形例を示す斜視図、（ｂ）は、当該ターミナルの他の変形例を示す斜視図である。
【図６】（ａ）は、上記第２実施形態のターミナルの折り曲げについての変形例を示す斜視図、（ｂ）は、当該ターミナルの折り曲げについての他の変形例を示す斜視図である。
【符号の説明】
１０…ボビン、１１…脚、１２…ターミナル収納箱、１２ａ…凹所、
３０…指針軸、６０、７０…交差コイル、６１、７１…接続端子、
８０、１００…ターミナル、８１、１０１…上端部、
１０３、１０４…折り曲げ部。
【図１】
0003663830.tif 000002
【図２】
0003663830.tif 000003
【図３】
0003663830.tif 000004
【図４】
0003663830.tif 000005
【図５】
0003663830.tif 000006
【図６】
0003663830.tif 000007